【手続補正書】
【提出日】平成17年6月14日(2005.6.14)
【手続補正１】
【補正対象書類名】明細書
【補正対象項目名】発明の名称
【補正方法】変更
【補正の内容】
【発明の名称】情報処理装置及びそのデータ表示方法、並びに記憶媒体
【手続補正２】
【補正対象書類名】明細書
【補正対象項目名】特許請求の範囲
【補正方法】変更
【補正の内容】
【特許請求の範囲】
【請求項１】
表示するデータの数が所定の数以上であるか否かを判断する判断手段と、
前記表示するデータの数が前記所定の数以内である場合、表示領域に第一の表示形態で、前記複数のデータを表示する第１表示手段と、
前記表示するデータの数が前記所定の数より多い場合、前記表示領域に第二の表示形態で、前記複数のデータを表示する第２表示手段とを備えたことを特徴とする情報処理装置。
【請求項２】
前記表示領域は、スケジューラ形式で区分けされた表示領域であることを特徴とする請求項１に記載の情報処理装置。
【請求項３】
前記第２表示手段は、前記第二の表示形態として、前記複数のデータを重ねて表示することを特徴とする請求項１に記載の情報処理装置。
【請求項４】
前記第２表示手段は、前記第二の表示形態として、前記複数のデータの中の代表データを表示することを特徴とする請求項１に記載の情報処理装置。
【請求項５】
前記代表データを指定する代表データ指定手段を更に備えたことを特徴とする請求項４に記載の情報処理装置。
【請求項６】
各データの縮小表示サイズを決定する表示サイズ決定手段を更に有し、
前記第２表示手段は、前記第二の表示形態として、前記決定された縮小表示サイズで前記複数のデータを表現することを特徴とする請求項１に記載の情報処理装置。
【請求項７】
前記第１表示手段又は前記第２表示手段で表示される複数の表示データの表示順序を指定する表示順序指定手段を更に有し、
前記表示順序指定手段で指定された表示順序で表示することを特徴とする請求項１に記載の情報処理装置。
【請求項８】
所定の条件に応じて、表示形態を決定する表示形態決定手段を更に備え、
前記表示形態決定手段は、同一表示領域に表示されるデータ数が当該表示領域に表示可能なデータ数以下の場合には、前記第一の表示形態として標準サイズでデータを表示し、一定大きさ以上に縮小することで表示可能である場合は縮小表示し、代表データが指定されている場合は代表データを表示し、これら以外の場合には、重ね合せ表示することを特徴とする請求項１に記載の情報処理装置。
【請求項９】
前記第１表示手段又は前記第２表示手段により表示されたデータを指定するデータ指定手段と、
前記データ指定手段で指定された個々のデータを判別可能に一覧表示するデータ一覧表示手段とを更に備えたことを特徴とする請求項１に記載の情報処理装置。
【請求項１０】
前記データ一覧表示手段は、前記第１表示手段又は前記第２表示手段で表示される表示領域に重ねて表示されたウインドウ内に、前記一覧データを表示することを特徴とする請求項１０に記載の情報処理装置。
【請求項１１】
前記データ指定手段により指定されたデータに応じて処理を切替える指定データ対応手段を更に備えたことを特徴とする請求項９に記載の情報処理装置。
【請求項１２】
データ数が１つの場合には、該データに対応する処理を実行し、前記データ数が複数の場合には、前記データ一覧表示手段によりデータを一覧表示することを特徴とする請求項１１に記載の情報処理装置。
【請求項１３】
表示画面に表示されたスケジューラ形式の複数のフレーム内に、複数のデータを表示するスケジューラ形式データ表示手段と、
表示対象データ数に応じて、前記複数のフレームのそれぞれの表示スケールを変更する表示スケール変更手段とを備えたことを特徴とする情報処理装置。
【請求項１４】
前記スケジューラ形式データ表示手段により表示されたデータを指定するデータ指定手段を更に有し、
前記表示スケール変更手段は、前記データ指定手段によってデータが指定されたときに、指定されたデータ数に応じて表示スケールを変更することを特徴とする請求項１３に記載の情報処理装置。
【請求項１５】
前記表示スケール変更手段で変更される表示スケールの範囲は、前記データ指定手段で指定されたデータ群を表示する範囲であることを特徴とする請求項１４に記載の情報処理装置。
【請求項１６】
表示するデータの数が所定の数以上であるか否かを判断する判断工程と、
前記表示するデータの数が前記所定の数以内である場合、表示領域に第一の表示形態で、前記複数のデータを表示する第１表示工程と、
前記表示するデータの数が前記所定の数より多い場合、前記表示領域に第二の表示形態で、前記複数のデータを表示する２表示工程とを備えたことを特徴とする情報処理装置のデータ表示方法。
【請求項１７】
前記表示領域は、スケジューラ形式で区分けされた表示領域であることを特徴とする請求項１６に記載の情報処理装置のデータ表示方法。
【請求項１８】
表示画面に表示されたスケジューラ形式の複数のフレーム内に、複数のデータを表示するデータ表示工程と、
表示対象データ数に応じて、前記複数のフレームのそれぞれの表示スケールを変更する表示スケール変更工程とを備えたことを特徴とする情報処理装置のデータ表示方法。
【請求項１９】
前記データ表示手段により表示されたデータを指定するデータ指定工程を更に有し、
前記表示スケール変更工程は、前記データ指定工程によってデータが指定されたときに、指定されたデータ数に応じて表示スケールを変更することを特徴とする請求項１９に記載の情報処理装置のデータ表示方法。
【請求項２０】
請求項１６に記載した各工程をコンピュータにより実現するためのプログラムを格納した記憶媒体。
【請求項２１】
請求項１９に記載した各工程をコンピュータにより実現するためのプログラムを格納した記憶媒体。
【手続補正３】
【補正対象書類名】明細書
【補正対象項目名】０００１
【補正方法】変更
【補正の内容】
【０００１】
【発明の属する技術分野】
本発明は、スケジューラ時間軸上におけるデータ表示等のデータ表示機能を備えた情報処理装置及びそのデータ表示方法、並びに前記データ表示方法を実行するためのプログラムを格納した記憶媒体に関する。
【手続補正４】
【補正対象書類名】明細書
【補正対象項目名】００２７
【補正方法】変更
【補正の内容】
【００２７】
本発明は上記従来の問題点に鑑み、一度に表示可能なデータ数に限界がある限定された表示領域に大量データを表示する場合であっても、大まかなデータの絞込みと、厳密なデータの特定を容易にすることができる情報処理装置及びそのデータ表示方法、並びに前記データ表示方法を実行するためのプログラムを格納した記憶媒体を提供することを目的とする。
【手続補正５】
【補正対象書類名】明細書
【補正対象項目名】００２８
【補正方法】変更
【補正の内容】
【００２８】
【課題を解決するための手段】
上記目的を達成するために、本発明の情報処理装置では、表示するデータの数が所定の数以上であるか否かを判断する判断手段と、前記表示するデータの数が前記所定の数以内である場合、表示領域に第一の表示形態で、前記複数のデータを表示する第１表示手段と、前記表示するデータの数が前記所定の数より多い場合、前記表示領域に第二の表示形態で、前記複数のデータを表示する第２表示手段とを備えたことを特徴とする。
本発明の情報処理装置では、表示画面に表示されたスケジューラ形式の複数のフレーム内に、複数のデータを表示するスケジューラ形式データ表示手段と、表示対象データ数に応じて、前記複数のフレームのそれぞれの表示スケールを変更する表示スケール変更手段とを備えたことを特徴とする。
本発明の情報処理装置のデータ表示方法では、表示するデータの数が所定の数以上であるか否かを判断する判断工程と、前記表示するデータの数が前記所定の数以内である場合、表示領域に第一の表示形態で、前記複数のデータを表示する第１表示工程と、前記表示するデータの数が前記所定の数より多い場合、前記表示領域に第二の表示形態で、前記複数のデータを表示する２表示工程とを備えたことを特徴とする。
本発明の情報処理装置のデータ表示方法では、表示画面に表示されたスケジューラ形式の複数のフレーム内に、複数のデータを表示するデータ表示工程と、表示対象データ数に応じて、前記複数のフレームのそれぞれの表示スケールを変更する表示スケール変更工程とを備えたことを特徴とする。
本発明の記憶媒体では、上記各工程をコンピュータにより実現するためのプログラムを格納したことを特徴とする。
【手続補正６】
【補正対象書類名】明細書
【補正対象項目名】０１５０
【補正方法】削除
【補正の内容】
【手続補正７】
【補正対象書類名】明細書
【補正対象項目名】０１５１
【補正方法】削除
【補正の内容】
【手続補正８】
【補正対象書類名】明細書
【補正対象項目名】０１５２
【補正方法】削除
【補正の内容】
【手続補正９】
【補正対象書類名】明細書
【補正対象項目名】０１５３
【補正方法】削除
【補正の内容】
【手続補正１０】
【補正対象書類名】明細書
【補正対象項目名】０１５４
【補正方法】削除
【補正の内容】
【手続補正１１】
【補正対象書類名】明細書
【補正対象項目名】０１５５
【補正方法】削除
【補正の内容】
【手続補正１２】
【補正対象書類名】明細書
【補正対象項目名】０１５６
【補正方法】削除
【補正の内容】
【手続補正１３】
【補正対象書類名】明細書
【補正対象項目名】０１５７
【補正方法】削除
【補正の内容】
【手続補正１４】
【補正対象書類名】明細書
【補正対象項目名】０１５８
【補正方法】削除
【補正の内容】
【手続補正１５】
【補正対象書類名】明細書
【補正対象項目名】０１５９
【補正方法】削除
【補正の内容】
【手続補正１６】
【補正対象書類名】明細書
【補正対象項目名】０１６０
【補正方法】削除
【補正の内容】
【手続補正１７】
【補正対象書類名】明細書
【補正対象項目名】０１６１
【補正方法】削除
【補正の内容】
【手続補正１８】
【補正対象書類名】明細書
【補正対象項目名】０１６２
【補正方法】削除
【補正の内容】
【手続補正１９】
【補正対象書類名】明細書
【補正対象項目名】０１６３
【補正方法】削除
【補正の内容】
【手続補正２０】
【補正対象書類名】明細書
【補正対象項目名】０１６４
【補正方法】削除
【補正の内容】
【手続補正２１】
【補正対象書類名】明細書
【補正対象項目名】０１６５
【補正方法】削除
【補正の内容】
【手続補正２２】
【補正対象書類名】明細書
【補正対象項目名】０１６６
【補正方法】削除
【補正の内容】
【手続補正２３】
【補正対象書類名】明細書
【補正対象項目名】０１６７
【補正方法】削除
【補正の内容】
【手続補正２４】
【補正対象書類名】明細書
【補正対象項目名】０１６８
【補正方法】削除
【補正の内容】
【手続補正２５】
【補正対象書類名】明細書
【補正対象項目名】０１６９
【補正方法】削除
【補正の内容】
【手続補正２６】
【補正対象書類名】明細書
【補正対象項目名】０１７０
【補正方法】削除
【補正の内容】
【手続補正２７】
【補正対象書類名】明細書
【補正対象項目名】０１７１
【補正方法】削除
【補正の内容】
【手続補正２８】
【補正対象書類名】明細書
【補正対象項目名】０１７２
【補正方法】削除
【補正の内容】
【手続補正２９】
【補正対象書類名】明細書
【補正対象項目名】０１７３
【補正方法】削除
【補正の内容】
【手続補正３０】
【補正対象書類名】明細書
【補正対象項目名】０１７４
【補正方法】削除
【補正の内容】
【手続補正３１】
【補正対象書類名】明細書
【補正対象項目名】０１７５
【補正方法】削除
【補正の内容】
【手続補正３２】
【補正対象書類名】明細書
【補正対象項目名】０１７６
【補正方法】削除
【補正の内容】
【手続補正３３】
【補正対象書類名】明細書
【補正対象項目名】０１７７
【補正方法】削除
【補正の内容】
【手続補正３４】
【補正対象書類名】明細書
【補正対象項目名】０１７８
【補正方法】削除
【補正の内容】
【手続補正３５】
【補正対象書類名】明細書
【補正対象項目名】０１７９
【補正方法】削除
【補正の内容】
【手続補正３６】
【補正対象書類名】明細書
【補正対象項目名】０１８０
【補正方法】削除
【補正の内容】